(57)【要約】通信ネットワークのパワーレベルを調節する方法であり、ネットワークは信号を送信するように構成されている第２の複数の信号送信エレメントに結合されている信号を受信するように構成されている第１の複数の信号送信エレメントを含んでおり、方法は、第１の複数の信号送信エレメントのうち少なくとも幾つかを消勢して、それにより信号は第１の複数の信号送信エレメントで受信されず、第２の複数の信号送信エレメントのうち少なくとも幾つかを消勢して、それにより信号は第２の複数の信号送信エレメントから送信されないステップを含んでいる。方法は第１の複数の信号送信エレメントで予め定められた注入されたパワーレベルを有する基準信号を注入し、第２の複数の信号送信エレメントで基準信号を受信し、第２の複数の信号送信エレメントで基準信号の受信されたパワーレベルを測定し、注入されたパワーレベルと受信されたパワーレベルとを比較し、比較に応答して、第１および第２の複数の信号送信エレメントに含まれる少なくとも１つの信号送信エレメントの利得を設定することを含んでいる。【選択図】図１
2004515108.tif 000002
【特許請求の範囲】
【請求項１】
セルラ通信ネットワークの無線周波数（ＲＦ）パワーレベルを調節する方法において、ネットワークは第２の可変利得中継器として通信信号を送信するように構成されている第２の複数の信号送信エレメントに結合されている第１の可変利得中継器として通信信号を受信するように構成されている第１の複数の信号送信エレメントを含んでおり、方法は、
通信信号が第１の複数の信号送信エレメントで受信されないように、第１の複数の信号送信エレメントのうち少なくとも幾つかを消勢し、
通信信号が第２の複数の信号送信エレメントから送信されないように、第２の複数の信号送信エレメントのうち少なくとも幾つかを消勢し、
第１の複数の信号送信エレメントにおいて予め定められた注入されたパワーレベルを有する基準信号を注入し、
第２の複数の信号送信エレメントにおいて基準信号を受信し、
第２の複数の信号送信エレメントにおいて受信された基準信号のパワーレベルを測定し、
注入されたパワーレベルと受信されたパワーレベルとを比較し、
その比較に応答して、第１および第２の複数の信号送信エレメントに含まれる少なくとも１つの信号送信エレメントの利得を設定するステップを含んでいる方法。
【請求項２】
第１の複数の信号送信エレメントのうちの少なくとも幾つかを付勢し、
第１の複数の信号送信エレメントにおいて、第１の領域からの通信信号を受信し、
第２の複数の信号送信エレメントのうちの少なくとも幾つかを付勢し、
第２の複数の信号送信エレメントから第２の領域へ通信信号を送信する請求項１記載の方法。
【請求項３】
第１の領域と第２の領域はオーバーラップしていない請求項２記載の方法。
【請求項４】
基準信号の注入は予め定められた注入されたパワーレベルを第１の検出器で測定することを含み、受信されたパワーレベルの測定は受信されたパワーレベルを第２の検出器で測定することを含んでおり、第２の複数の信号送信エレメントの少なくとも幾つかの付勢はパワー増幅器を付勢し、第３の検出器により測定されるパワー増幅器の出力と、第１の検出器により測定される予め定められ注入されたパワーレベルと、第２の検出器により測定される受信されたパワーレベルとに応答してパワー増幅器のパワーレベル出力を設定する請求項２記載の方法。
【請求項５】
パワー増幅器レベルと受信されたパワーレベルとに応答してアラームを設定する請求項４記載の方法。
【請求項６】
第１の複数の信号送信エレメントにおいて予め定められた順方向中間周波数（ＦＷＤ−ＩＦ）帯域外の周波数で通信信号を受信し、
ＦＷＤ−ＩＦ帯域内で順方向ＩＦ信号を発生するように局部発振器（ＬＯ）信号と通信信号とを混合し、
順方向ＩＦ信号を第２の複数の信号送信エレメントに伝送し、
第２の複数の信号送信エレメントにおいて通信信号中の情報を回復するために順方向ＩＦ信号をＬＯ信号と混合する請求項２記載の方法。
【請求項７】
基準信号の注入はＦＷＤ−ＩＦ帯域内の基準周波数の基準信号を発生する請求項６記載の方法。
【請求項８】
第２の複数の信号送信エレメントにおいて、ＦＷＤ−ＩＦ帯域とは異なる予め定められた逆方向中間周波数（ＲＥＶ−ＩＦ）帯域外の周波数で通信信号を受信し、
ＲＥＶ−ＩＦ帯域内で逆方向ＩＦ信号を発生するようにＬＯ信号と通信信号とを混合し、
逆方向ＩＦ信号を第１の複数の信号送信エレメントに伝送し、
第１の複数の信号送信エレメントにおいて通信信号の情報を回復するために逆方向ＩＦ信号をＬＯ信号と混合し、
第１の複数の信号送信エレメントの１つの利得と、第２の複数の信号送信エレメントの１つの利得との設定は、
基準周波数における利得値を決定し、
第１および第２の複数の信号送信エレメントのパラメータと、複数の信号送信エレメントを結合するケーブルのパラメータとに応答して、利得値をＲＥＶ−ＩＦ帯域に補間する請求項７記載の方法。
【請求項９】
第１の複数の信号送信エレメントと第２の複数の信号送信エレメントはケーブルにより結合され、比較に応答してケーブルの実効的な長さと実効的な損失を決定する請求項１記載の方法。
【請求項１０】
ケーブルの実効的な損失は、順方向中間周波数に応答する順方向の実効的な損失と、順方向中間周波数と異なる逆方向中間周波数に応答する逆方向の実効的な損失とを含んでいる請求項９記載の方法。
【請求項１１】
予測された出力レベル値を第１の複数の信号送信エレメントから放送し、
予測された出力レベル値を第２の複数の信号送信エレメントにおいて受信し、
予測された出力レベル値に応答して第２の複数の信号送信エレメントに含まれる少なくとも１つの信号送信エレメントの利得を設定する請求項１記載の方法。
【請求項１２】
利得の設定において、第１および第２の複数の信号送信エレメントに含まれる順方向伝送路の通信信号に対する順方向利得を設定し、第１および第２の複数の信号送信エレメントに含まれる逆方向伝送路の通信信号に対する逆方向利得を設定する請求項１記載の方法。
【請求項１３】
順方向利得と逆方向利得は予め定められた値だけ異なる請求項１２記載の方法。
【請求項１４】
第１の複数の信号送信エレメントは信号受信レベルで通信信号を受信し、基準信号の注入は信号受信レベルと実質上同一の注入レベルによって基準信号の注入を含んでいる請求項１記載の方法。
【請求項１５】
セルラ通信ネットワークで無線周波数（ＲＦ）パワーレベルを調節する装置において、
第１の可変利得中継器として結合される第１の複数の信号送信エレメントと、
第２の可変利得中継器として結合される第２の複数の信号送信エレメントと、
第１および第２の複数の信号送信エレメントを接続し、それらの間で通信信号を伝送するように構成されているカップリングと、
第１の複数の信号送信エレメントにおいて予め定められた注入されたパワーレベルを有する基準信号を注入するように構成されている基準発振器と、
第２の複数の信号送信エレメントにおいて受信された基準信号のパワーレベルを測定するように構成されている受信機と、
第１および第２の複数の信号送信エレメントのうちの少なくとも幾つかを消勢して、基準信号がカップリングと第１および第２の複数の信号送信エレメントから放射されないように構成されているスイッチング回路と、
注入されたパワーレベルと受信されたパワーレベルに応答して、第１および第２の複数の信号送信エレメントに含まれている１つの信号送信エレメントの利得を設定するように構成されている制御回路とを具備している装置。
【請求項１６】
スイッチング回路は第１の複数の信号送信エレメントの少なくとも幾つかと、第２の複数の信号送信エレメントの少なくとも幾つかを付勢するように構成され、それによって第１の複数の信号送信エレメントは第１の領域から通信信号を受信し、第２の複数の信号送信エレメントは通信信号を第２の領域へ送信する請求項１５記載の装置。
【請求項１７】
第１の領域および第２の領域はオーバーラップしていない請求項１６記載の装置。
【請求項１８】
第２の複数の信号送信エレメントはパワー増幅器を含み、
装置は、
予め定められた注入されたパワーレベルを測定するように構成されている第１の検出器と、
受信されたパワーレベルを測定するように構成されている第２の検出器と、
パワー増幅器のパワー増幅器レベル出力を測定するように構成され、それによってパワー増幅器レベルはパワー増幅器レベル出力と予め定められた注入パワーレベルと受信されたパワーレベルとに応答するように設定される第３の検出器とを具備している請求項１６記載の装置。
【請求項１９】
パワー増幅器レベルおよび受信されたパワーレベルに応答して付勢されるアラームを具備している請求項１８記載の装置。
【請求項２０】
第１の複数の信号送信エレメントは予め定められた順方向中間周波数（ＦＷＤ−ＩＦ）帯域外の周波数で通信信号を受信し、ＦＷＤ−ＩＦ帯域内で順方向ＩＦ信号を発生するように局部発振器（ＬＯ）信号と通信信号とを混合するように構成され、
第２の複数の信号送信エレメントは順方向ＩＦ信号を受信し、通信信号の情報を回復するために順方向ＩＦ信号をＬＯ信号と混合するように構成されている請求項１６記載の装置。
【請求項２１】
基準発振器はＦＷＤ−ＩＦ帯域内の基準周波数で基準信号を発生するように構成されている請求項２０記載の装置。
【請求項２２】
第２の複数の信号送信エレメントは、ＦＷＤ−ＩＦ帯域とは異なる予め定められた逆方向中間周波数（ＲＥＶ−ＩＦ）帯域外の周波数で通信信号を受信し、ＲＥＶ−ＩＦ帯域内で逆方向ＩＦ信号を発生するようにＬＯ信号と通信信号を混合するように構成されており、
第１の複数の信号送信エレメントは通信信号中の情報を回復するために逆方向ＩＦ信号をＬＯ信号と混合するように構成され、
制御回路は基準周波数における利得値を決定し、第１および第２の複数の信号送信エレメントのパラメータと、複数の信号送信エレメントを結合するケーブルのパラメータとに応答してＲＥＶ−ＩＦ帯域へ利得値を補間するように構成されている請求項２１記載の装置。
【請求項２３】
カップリングはケーブルを具備し、制御回路は注入されたパワーレベルと受信されたパワーレベルに応答してケーブルの実効的な長さと実効的な損失を決定するように構成されている請求項１５記載の装置。
【請求項２４】
ケーブルの実効的な損失は、順方向中間周波数に応答する順方向の実効的な損失と、順方向中間周波数とは異なる逆方向中間周波数に応答する逆方向の実効的な損失とを含んでいる請求項２３記載の装置。
【請求項２５】
第１の複数の信号送信エレメントは予測された出力レベル値をそこから放送するように構成され、
第２の複数の信号送信エレメントは予測された出力レベル値を受信するように構成され、
制御回路は予測された出力レベル値に応答して第２の複数の信号送信エレメントに含まれる少なくとも１つの信号送信エレメントの利得を設定するように構成されている請求項１５記載の装置。
【請求項２６】
第１および第２の複数の信号送信エレメントは、
第１の信号送信エレメントから第２の信号送信エレメントへの順方向伝送路にしたがう通信信号に対する順方向伝送路エレメントと、
第２の信号送信エレメントから第１の信号送信エレメントへの逆方向伝送路にしたがう通信信号の逆方向伝送路エレメントとを含んでおり、
制御回路は順方向伝送路エレメントの順方向利得と逆方向伝送路エレメントの逆方向利得とを設定するように構成されている請求項１５記載の装置。
【請求項２７】
順方向利得と逆方向利得は予め定められた値だけ異なる請求項２６記載の装置。
【請求項２８】
第１の複数の信号送信エレメントは信号受信レベルで通信信号を受信し、基準発振器は信号受信レベルと実質上同一の注入レベルで基準信号を注入するように構成されている請求項１５記載の装置。
【発明の詳細な説明】
【０００１】
【発明の属する技術分野】
本発明は通信システムの利得制御、特に通信システム内の中継器の利得制御に関する。
【０００２】
【発明の参考とする文献】
本出願は２０００年１１月２１日出願の米国暫定特許出願第６０／２５２，６１２号明細書と、２００１年４月９日出願の米国暫定特許出願第６０／２８２，６６０号明細書に対して優先権を主張している。
【０００３】
【従来の技術】
ビルディング内またはトンネル内のような電磁放射から閉ざされた領域で動作するセルラ通信ネットワークは典型的に中継器システムを使用して閉ざされた領域内にカバー領域を実現する。中継器システムは基地局トランシーバシステム（ＢＴＳ）と直接通信している領域外の第１の中継器と、閉ざされた領域内の移動体装置と直接通信している領域内の第２の中継器と、２つの中継器と接続するケーブルとを具備している。ＢＴＳまたは移動体装置において変化する信号レベルは、ネットワーク中の雑音を実効的に増加し、したがって信号／雑音レベルを減少することによりネットワークの動作に悪影響することが技術で知られている。この影響はＢＴＳおよび移動体装置における信号レベルを常に監視し、最も好ましくは可能な限り信号レベルを一定に維持するように移動体装置の利得を調節することにより克服される。ＢＴＳと移動体装置との間の中継器システムの介在により、中継器システム内の利得の変化により生じる信号レベルの変化が最少にされ、これらがゆっくりと行われ、中継器システムが実質上ネットワークに対して透明であることを確実にすることが重要である。
【０００４】
本出願で参考文献とされているＳｏｌｉｍａｎ の米国特許第５，７９９，００５ 号明細書は通信チャンネルに関連する品質と通路損失を評価するシステムおよび方法を記載している。評価は通信受信機により受信されるパイロット信号のパワーを測定することにより行われる。通信受信機は受信された信号のパワーを測定し、また受信されたパイロット信号の相対的なパイロット強度測定も行う。パイロット信号のパワーはその後、受信された信号パワーと相対的なパイロット強度測定とを使用して計算される。基地局はパイロット信号が送信されたパワーの指示も送信する。通路損失の評価はその後、送信されたパイロット信号の指示されたパワーと、受信されたパイロット信号パワーとの差を決定することにより行われる。
【０００５】
本出願で参考文献とされているＷｉｌｌｅｎｅｇｇｅｒ の米国特許第５，９９１，２８４ 号明細書はチャンネルを送信する局により発生される各サブチャンネルの送信されたパワーを制御する方法を記載している。局はサブチャンネルの合計で作られているチャンネルを発生し、それによって各サブチャンネルまたはサブチャンネルグループは受信局からのサブチャンネルパワー制御メッセージにしたがって変化される特有の利得値で増幅される。受信局は受信されたサブチャンネルに基づいてメトリックを監視し、計算した後、各サブチャンネルパワー制御メッセージを発生する。
【０００６】
【発明が解決しようとする課題】
本発明の幾つかの特徴の目的は、セルラ通信ネットワーク中の中継器間で利得を制御する方法および装置を提供することである。
【０００７】
本発明の幾つかの特徴のさらに別の目的は、セルラ通信ネットワークの自動較正プロセスにおける利得の設定方法を提供することである。
【０００８】
【課題を解決するための手段】
本発明の好ましい実施形態では、基地局トランシーバシステム（ＢＴＳ）はセルラ通信ネットワーク内のマスター中継器と通信する。マスター装置はケーブルにより遠隔装置と通信し、この遠隔装置は例えばビルディング内のＢＴＳとの直接の通信から遮断されている移動体トランシーバと通信する。通信はマスター装置から遠隔装置までの順方向伝送路と、遠隔装置からマスター装置までの逆方向伝送路を含んでいる。マスター装置と遠隔装置との間の通信は移動体トランシーバがネットワーク内で機能することを可能にする。
【０００９】
初期化相中、各遠隔装置の順方向利得および逆方向利得は別々に、好ましくは実質上自動的な方法で設定される。順方向利得は好ましくは各遠隔装置で実質上等しくデフォルトパワー出力を発生するように設定される。その代わりに、各遠隔装置のパワー出力はマスター装置から送信された設定にしたがって設定される。各遠隔装置の逆方向利得は、設置相中に測定されたケーブル挿入損失のような順方向パラメータと、逆方向伝送路に対するこれらのパラメータの既知の差とに応答して調節される。
【００１０】
順方向利得を設定するために、パイロット基準周波数はマスター装置の入力段の後方、最も好ましくは入力段が動作しているときに入力段によって発生されるレベルと実質上同一のレベルで注入される。入力段は初期化相中に消勢され、それによってパイロット信号だけが初期化中にシステムで送信される。パイロット基準信号は最も好ましくはネットワーク内で通信に使用される帯域内の周波数の狭帯域の信号である。パイロット信号は各遠隔局に含まれるそれぞれの第１の検出器により検出される。既知の入力レベルと、第１の検出器により読取られるレベルを使用して、遠隔装置の順方向利得はその後、特別な装置で必要なパワー出力を発生するように設定される。また、マスター装置と特定の遠隔装置との間のケーブルの順方向挿入損失は２つのレベルから計算される。
【００１１】
各遠隔装置に対する逆方向利得レベルは、逆方向挿入損失を発見するために初期化相中に発見された順方向挿入損失測定を補間することにより評価される。補間は順方向伝送路と逆方向伝送路との差を考慮する。差は順方向伝送路と逆方向伝送路間の送信周波数の差により生じるケーブル損失の差と、２つの伝送路のエレメントの異なる挿入損失を含んでいる。最も好ましくは、各遠隔装置で設定される逆方向利得は、通常５ｄＢ等の予め定められた値だけケーブル逆方向挿入損失よりも大きい。
【００１２】
各遠隔装置は、特定の遠隔装置が初期化されるときの期間中に消勢される出力段を具備している。遠隔装置の第１の検出器は出力段よりも前に位置される。消勢されたマスター装置の入力段と遠隔装置の出力段はアイソレータとして動作する。したがって、順方向および逆方向利得の調節はパイロット信号が何等の外部干渉も発生せずに、また外部信号が調節により干渉を起こさずに各遠隔装置で実行されてもよい。
【００１３】
動作相では、パイロットは消勢され、マスター装置の入力段と各遠隔装置の出力段は付勢される。マスター装置の入力段の順方向利得は実質上固定した公称の出力レベルを発生するように設定される（最も好ましくは、パイロットが初期化相で注入されるレベルはこの出力レベルと実質上等しい）。最も好ましくは、マスター装置の逆方向利得は、システムの逆方向利得がシステムの順方向利得に実質上等しいように設定される。その代わりに、逆方向利得は予め定められた値だけ順方向利得と異なるように設定される。
【００１４】
各遠隔装置はそれぞれの遠隔装置の出力段から出力されたパワーを監視するために使用される第２の検出器を具備している。マスター装置と各遠隔装置の順方向および逆方向利得は設置の設定からは実質上変化されないシステム利得の設定を維持するために可能な限り一定に維持され、その設置設定は順方向および逆方向伝送路の信号／雑音比を維持する。システムの動作中、各遠隔装置の順方向および逆方向利得とパワー出力は監視され、例えばシステムパラメータが変化するときのように必要なときに調節され、それによってサイトの設計にしたがって順方向および逆方向利得が実質上変化されないように維持される。マスター装置の入力段および／または１以上の遠隔装置の出力段は設置相中に公称上実行されるパワー損失値の更新のように測定を実行するために動作相中に一時的に消勢されてもよい。
【００１５】
アイソレータとして動作するように消勢されることができ、装置内で動作するように付勢されることができるマスター装置と遠隔装置中に含まれている構成段は、実質上入来または出力する干渉がなく、最適のレベルで装置の利得を維持するための非常にフレキシブルなシステムを与える。
【００１６】
それ故、本発明の好ましい実施形態にしたがって、セルラ通信ネットワークの無線周波数（ＲＦ）パワーレベルを調節する方法が提供され、ネットワークは第２の可変利得中継器として通信信号を送信するように構成されている第２の複数の信号送信エレメントに結合されている第１の可変利得中継器として通信信号を受信するように構成されている第１の複数の信号送信エレメントを含んでおり、その方法は、
通信信号が第１の複数の信号送信エレメントで受信されないように、第１の複数の信号送信エレメントのうち少なくとも幾つかを消勢し、
通信信号が第２の複数の信号送信エレメントから送信されないように、第２の複数の信号送信エレメントのうち少なくとも幾つかを消勢し、
第１の複数の信号送信エレメントにおいて予め定められた注入されたパワーレベルを有する基準信号を注入し、
第２の複数の信号送信エレメントで基準信号を受信し、
第２の複数の信号送信エレメントで受信された基準信号のパワーレベルを測定し、
注入されたパワーレベルと受信されたパワーレベルとを比較し、
比較に応答して、第１および第２の複数の信号送信エレメントに含まれる少なくとも１つの信号送信エレメントの利得を設定するステップを含んでいる。
【００１７】
好ましくは方法は、
第１の複数の信号送信エレメントのうちの少なくとも幾つかを付勢し、
第１の複数の信号送信エレメントにおいて、第１の領域からの通信信号を受信し、
第２の複数の信号送信エレメントのうちの少なくとも幾つかを付勢し、
第２の複数の信号送信エレメントから第２の領域へ通信信号を送信するステップを含んでいる。
【００１８】
好ましくは、第１の領域と第２の領域はオーバーラップしない。
【００１９】
好ましくは、基準信号の注入は予め定められた注入されたパワーレベルを第１の検出器で測定することを含み、受信されたパワーレベルの測定は受信されたパワーレベルを第２の検出器で測定することを含んでおり、第２の複数の信号送信エレメントの少なくとも幾つかの付勢はパワー増幅器を付勢し、第３の検出器により測定されるパワー増幅器の出力と、第１の検出器により測定される予め定められ注入されたパワーレベルと、第２の検出器により測定される受信されたパワーレベルに応答してパワー増幅器のパワーレベル出力を設定するステップを含んでいる。
【００２０】
さらに好ましくは、方法はパワー増幅器レベルと受信されたパワーレベルとに応答してアラームを設定するステップを含んでいる。
【００２１】
好ましくは、方法は、
第１の複数の信号送信エレメントにおいて予め定められた順方向中間周波数（ＦＷＤ−ＩＦ）帯域外の周波数で通信信号を受信し、
ＦＷＤ−ＩＦ帯域内で順方向ＩＦ信号を発生するように局部発振器（ＬＯ）信号と通信信号とを混合し、
順方向ＩＦ信号を第２の複数の信号送信エレメントに伝送し、
第２の複数の信号送信エレメントにおいて通信信号中の情報を回復するために順方向ＩＦ信号をＬＯ信号と混合するステップを含んでいる。
【００２２】
さらに、好ましくは基準信号の注入はＦＷＤ−ＩＦ帯域内の基準周波数の基準信号の発生を含んでいる。
【００２３】
好ましくは、方法は、
第２の複数の信号送信エレメントにおいて、ＦＷＤ−ＩＦ帯域とは異なる予め定められた逆方向中間周波数（ＲＥＶ−ＩＦ）帯域外の周波数で通信信号を受信し、
ＲＥＶ−ＩＦ帯域内で逆方向ＩＦ信号を発生するようにＬＯ信号と通信信号とを混合し、
逆方向ＩＦ信号を第１の複数の信号送信エレメントに伝送し、
第１の複数の信号送信エレメントにおいて通信信号中の情報を回復するために逆方向ＩＦ信号をＬＯ信号と混合するステップを含んでおり、
第１の複数の信号送信エレメントの１つの利得と、第２の複数の信号送信エレメントの１つの利得との設定は、
基準周波数の利得値を決定し、
第１および第２の複数の信号送信エレメントのパラメータと、複数の信号送信エレメントを結合するケーブルのパラメータとに応答して、利得値をＲＥＶ−ＩＦ帯域に補間するステップを含んでいる。
【００２４】
好ましくは、第１の複数の信号送信エレメントと第２の複数の信号送信エレメントはケーブルにより結合され、方法は、比較に応答してケーブルの実効的な長さと実効的な損失を決定するステップを含んでいる。
【００２５】
さらに好ましくは、ケーブルの実効的な損失は、順方向中間周波数に応答する順方向の実効的な損失と、順方向中間周波数と異なる逆方向中間周波数に応答する逆方向の実効的な損失とを含んでいる。
【００２６】
好ましくは、方法は、
予測された出力レベル値を第１の複数の信号送信エレメントから放送し、
予測された出力レベル値を第２の複数の信号送信エレメントにおいて受信し、
予測された出力レベル値に応答して第２の複数の信号送信エレメントに含まれる少なくとも１つの信号送信エレメントの利得を設定するステップを含んでいる。
【００２７】
好ましくは、利得の設定は、第１および第２の複数の信号送信エレメントに含まれる順方向伝送路の通信信号に対する順方向利得を設定し、第１および第２の複数の信号送信エレメントに含まれる逆方向伝送路の通信信号に対する逆方向利得を設定するステップを含んでいる。
【００２８】
好ましくは、順方向利得および逆方向利得は予め定められた値だけ異なる。
【００２９】
好ましくは、第１の複数の信号送信エレメントは信号受信レベルで通信信号を受信し、基準信号の注入は信号受信レベルと実質上同一の注入レベルによる基準信号の注入を含んでいる。
【００３０】
本発明の好ましい実施形態にしたがって、セルラ通信ネットワークで無線周波数（ＲＦ）パワーレベルを調節する装置がさらに提供され、この装置は、
第１の可変利得中継器として結合される第１の複数の信号送信エレメントと、
第２の可変利得中継器として結合される第２の複数の信号送信エレメントと、
第１および第２の複数の信号送信エレメントを接続し、それらの間で通信信号を伝送するように構成されているカップリングと、
第１の複数の信号送信エレメントにおいて予め定められた注入されたパワーレベルを有する基準信号を注入するように構成されている基準発振器と、
第２の複数の信号送信エレメントにおいて受信された基準信号のパワーレベルを測定するように構成されている受信機と、
第１および第２の複数の信号送信エレメントのうちの少なくとも幾つかを消勢して、基準信号がカップリングと第１および第２の複数の信号送信エレメントから放射されないように構成されているスイッチング回路と、
注入されたパワーレベルと受信されたパワーレベルに応答して、第１および第２の複数の信号送信エレメントに含まれる１つの信号送信エレメントの利得を設定するように構成されている制御回路とを含んでいる。
【００３１】
好ましくは、スイッチング回路は第１の複数の信号送信エレメントの少なくとも幾つかと、第２の複数の信号送信エレメントの少なくとも幾つかを付勢するように構成され、それによって第１の複数の信号送信エレメントは第１の領域から通信信号を受信し、第２の複数の信号送信エレメントは通信信号を第２の領域へ送信する。
【００３２】
第１の領域と第２の領域とはオーバーラップしないことが好ましい。
【００３３】
好ましくは、第２の複数の信号送信エレメントはパワー増幅器を含んでおり、装置は、
予め定められた注入されたパワーレベルを測定するように構成されている第１の検出器と、
受信されたパワーレベルを測定するように構成されている第２の検出器と、
パワー増幅器のパワー増幅器レベル出力を測定するように構成され、それによってパワー増幅器レベルはパワー増幅器レベル出力と予め定められた注入パワーレベルと受信されたパワーレベルとに応答するように設計される第３の検出器とを含んでいる。
【００３４】
好ましくは、装置はパワー増幅器レベルおよび受信されたパワーレベルに応答して付勢されるアラームを含んでいる。
【００３５】
好ましくは、第１の複数の信号送信エレメントは予め定められた順方向中間周波数（ＦＷＤ−ＩＦ）帯域外の周波数で通信信号を受信し、ＦＷＤ−ＩＦ帯域内で順方向ＩＦ信号を発生するように局部発振器（ＬＯ）信号と通信信号を混合するように構成され、
第２の複数の信号送信エレメントは順方向ＩＦ信号を受信し、通信信号の情報を回復するために順方向ＩＦ信号をＬＯ信号と混合するように構成されている。
【００３６】
さらに好ましくは、基準発振器はＦＷＤ−ＩＦ帯域内の基準周波数で基準信号を発生するように構成されている。
【００３７】
好ましくは、第２の複数の信号送信エレメントは、ＦＷＤ−ＩＦ帯域とは異なる予め定められた逆方向中間周波数（ＲＥＶ−ＩＦ）帯域外の周波数で通信信号を受信し、ＲＥＶ−ＩＦ帯域内で逆方向ＩＦ信号を発生するようにＬＯ信号と通信信号を混合するように構成されており、
第１の複数の信号送信エレメントは通信信号中の情報を回復するために逆方向ＩＦ信号をＬＯ信号と混合するように構成され、
制御回路は基準周波数における利得値を決定し、第１および第２の複数の信号送信エレメントのパラメータと、複数の信号送信エレメントを結合するケーブルのパラメータとに応答してＲＥＶ−ＩＦ帯域へ利得値を補間するように構成されている。
【００３８】
好ましくは、カップリングはケーブルを具備し、制御回路は注入されたパワーレベルと受信されたパワーレベルに応答してケーブルの実効的な長さと実効的な損失を決定するように構成されている。
【００３９】
さらに好ましくは、ケーブルの実効的な損失は、順方向中間周波数に応答する順方向の実効的な損失と、順方向中間周波数とは異なる逆方向中間周波数に応答する逆方向の実効的な損失とを含んでいる。
【００４０】
好ましくは、第１の複数の信号送信エレメントは予測された出力レベル値をそこから放送するように構成され、
第２の複数の信号送信エレメントは予測された出力レベル値を受信するように構成され、
制御回路は予測された出力レベル値に応答して第２の複数の信号送信エレメントに含まれる少なくとも１つの信号送信エレメントの利得を設定するように構成されている。
【００４１】
好ましくは、第１および第２の複数の信号送信エレメントは、
第１の信号送信エレメントから第２の信号送信エレメントへの順方向伝送路にしたがう通信信号に対する順方向伝送路エレメントと、
第２の信号送信エレメントから第１の信号送信エレメントへの逆方向伝送路にしたがう通信信号に対する逆方向伝送路エレメントとを含んでおり、
制御回路は順方向伝送路エレメントの順方向利得と逆方向伝送路エレメントの逆方向利得とを設定するように構成されている。
【００４２】
好ましくは、順方向利得と逆方向利得は予め定められた値だけ異なっている。
【００４３】
好ましくは、第１の複数の信号送信エレメントは信号受信レベルで通信信号を受信し、基準発振器は信号受信レベルと実質上同一の注入レベルで基準信号を注入するように構成されている。
【００４４】
【発明の実施の形態】
本発明は図面を伴った好ましい実施形態の以下の詳細な説明からさらに十分に理解されるであろう。
図１を参照すると、本発明の好ましい実施形態にしたがったセルラ通信ネットワーク１０を示している概略ブロック図である。ネットワーク１０では、ビルディング１８の内部は、ビルディングの外部またはその内部に共に配置されている基地局トランシーバシステム（ＢＴＳ）１２からの無線周波数（ＲＦ）電磁放射に対して実質上閉ざされている。最も好ましくはビルディング１８内に配置されているマスター装置１４はＢＴＳ１２から信号を受信し送信することができる。代わりにマスター装置１４は部分的にまたは全体的にビルディング１８の外部に位置されている。好ましくは、ＢＴＳ１２により放射されるＲＦ信号は工業標準チップレートおよび工業標準の周波数帯域で動作するコード分割多元接続（ＣＤＭＡ）信号であるが、本発明の原理は他のコード化および送信方式にも応用可能である。
【００４５】
マスター装置１４はＢＴＳ１２から受信された信号の第１の可変利得中継器として動作し、受信された信号の情報をビルディング１８内に配置されている複数の実質上類似の遠隔装置１６へ転送する。遠隔装置１６は第２の可変利得中継器として動作し、ビルディング内のマスター局１４から受信された情報を有する信号を放射する。遠隔装置１６から放射された信号はビルディング１８内に位置されている移動体トランシーバ１５により受信可能な形態であり、そのトランシーバはＢＴＳ１２により放射された信号を受信するように構成されている。最も好ましくは、マスター装置１４と遠隔装置１６は同軸ケーブルのような１以上のケーブル１７により結合され、それらはマスター局と遠隔装置との間で信号を転送することができる。遠隔装置１６は好ましくはスター構造でマスター装置１４へ結合される。その代わりに、マスター装置１４と遠隔装置１６はデイジーチェーン形態、またはスターとデイジーチェーン形態の組合わせ、或いは技術で知られている別の形態で結合される。最も好ましくは、少なくとも幾つかの遠隔装置１６は主遠隔装置として動作し、主信号として使用される信号を受信し、少なくとも幾つかの遠隔装置はダイバーシティ遠隔装置として動作し、ダイバーシティ信号として使用される信号を受信する。
【００４６】
ネットワーク１０はさらに、制御信号をマスター装置１４によりネットワークのエレメントへ送信することによりネットワークのオペレータがネットワークの動作を制御し監視することを可能にするオペレータコンソール１９を具備している。コンソール１９はまたマスター装置１４によりネットワークのエレメントから監視信号を受信することによってネットワークの動作を監視するように構成されている。マスター装置１４は図２を参照して以下さらに詳細に説明される中央処理装置（ＣＰＵ）１１とモデム１３を具備することが好ましく、これはとりわけ監視および制御信号をコード化しデコードする。マスター装置１４は最も好ましくは、以下さらに詳細に説明するように自動または半自動方法でネットワーク１０が設置されることを可能にするように構成される。制御および監視信号はケーブル結合および／または電磁伝送等による技術で知られている方法によってコンソール１９とマスター装置１４の間で伝送される。
【００４７】
移動体トランシーバ１５はＢＴＳ１２により受信可能である信号を放射するように構成されている。トランシーバにより放射される信号は１以上の遠隔装置１６により受信され、以下さらに詳細に説明するように信号の情報はマスター装置１４に転送される。マスター装置１４は移動体トランシーバ１５から受信された情報を含む信号をＢＴＳ１２へ放射する。
【００４８】
本発明の好ましい実施形態では、ＢＴＳ１２からの順方向ＲＦ信号は最初にマスター装置で、受信された信号を順方向中間周波数（ＩＦ）信号へ下方変換することによりマスター装置１４から遠隔装置１６へ転送される。順方向ＩＦ信号はその後、ケーブル１７で遠隔装置１６へ転送され、ここでこれらはＲＦ信号へ上方変換され、ビルディング１８中へ放射される。同様に、移動局トランシーバ１５からの逆方向ＲＦ信号は１以上の遠隔装置１６で、逆方向ＩＲ信号へ下方変換され、ケーブル１７によりマスター装置１４へ送信され、その後ＢＴＳ１２により受信されるように放射されるＲＦ信号へ上方変換される。前述した送信されたＲＦ信号の下方変換および上方変換方法は技術で知られている。１つのこのような方法の詳細な説明は米国特許出願第０９／４３０，６１６号明細書（発明の名称“Ｉｎ−Ｂｕｉｌｄｉｎｇ Ｒａｄｉｏ Ｆｒｅｑｕｅｎｃｙ Ｃｏｖｅｒａｇｅ”、１９９９年１０月２９日）で行われており、これは本出願人に譲渡され、ここで参考文献とされている。
【００４９】
図２は、本発明の好ましい実施形態にしたがったマスター装置１４の概略ブロック図である。マスター装置１４は順方向装置２０を具備し、これは信号をＢＴＳ１２から遠隔装置１６へ伝送する。装置１４は主逆方向装置２２とダイバーシティ逆方向装置２４も有しており、この両者は逆方向信号を遠隔装置１６からＢＴＳ１２へ伝送する。主逆方向装置２２は遠隔装置１６から逆方向信号を送信し、主送信機として動作し、ダイバーシティ逆方向装置２４は遠隔装置１６から逆方向信号を送信し、ダイバーシティ送信機として動作する。順方向装置２０、主逆方向装置２２、ダイバーシティ逆方向装置２４内のエレメントは制御および監視バス３１によりエレメントへ結合される中央処理装置（ＣＰＵ）１１によって制御される。
【００５０】
順方向装置２０では、ＢＴＳ１２からの順方向ＲＦ信号はＲＦアンテナ２６により受信される。信号は低雑音増幅器２８へ入力され、低雑音増幅器２８はＲＦ減衰器の信号ＲＦ−ＡＴＴ１により制御される利得を有し、増幅された信号をミキサ３２へ出力する。ミキサ３２は局部発振器４２から局部発振器（ＬＯ）基準信号を受信し、その入力ＲＦ信号を中間周波数（ＩＦ）信号へ下方変換する。ＬＯ周波数はケーブル１７が転送できるＩＦ帯域内でＩＦ周波数を発生するように選択される。ＩＦ信号はＩＦ増幅器３６へ入力され、これはＩＦ減衰器信号ＩＦ−ＡＴＴ１により制御される利得を有する。増幅器３６からの出力ＩＦ信号のパワーレベルはＩＦレベル検出器４０により測定される。ＩＦ信号は技術で知られているようにアクチブスプリッタ／結合器２１を経てケーブル１７により遠隔装置１６へ転送される。パイロット発振器３８により発生されるパイロット基準信号は増幅器３６の出力で注入され、それによって基準信号もまた遠隔装置１６へ転送される。パイロット信号は最も好ましくはＩＦ帯域内の周波数を有する狭帯域信号を有する。代わりに、パイロット信号の周波数はケーブル１７がＩＦ帯域外で転送できる周波数に設定される。
【００５１】
局部発振器４２、ＩＦレベル検出器４０、パイロット発振器３８のような順方向装置２０のエレメントは最も好ましくは装置のバス３１に結合される。バス３１は減衰設定信号ＲＦ−ＡＴＴ１およびＩＦ−ＡＴＴ１も伝送する。したがって、順方向装置のそれぞれのエレメントの利得および／または周波数のような動作入力パラメータはバスを経て設定されてもよい。最も好ましくは、順方向装置２０のエレメントの動作入力パラメータはＲＳ−２３２インターフェース３３による等の技術で知られている方法によってコンソール１９からバスへの信号によって設定される。信号はＣＰＵ１１とモデム１３によりデコードされる。代わりに、装置２０のエレメントの動作入力パラメータは技術で知られている他の手段により設定される。同様に、検出器４０により測定されるＩＦレベル等の順方向装置２０のエレメントの出力パラメータの値は最も好ましくはバスに供給され、ＲＳ−２３２インターフェース３３および／またはＣＰＵ１１およびモデム１３による等の技術で知られている方法によりコンソール１９に利用可能である。本発明の幾つかの好ましい実施形態では、パラメータ値は後にコンソール１９へ送信されるように、装置１４に含まれているメモリ３５中に記憶される。代わりに、装置２０のエレメントの出力パラメータ値は技術で知られている別の方法によりコンソール１９へ利用可能である。
【００５２】
図３は本発明の好ましい実施形態にしたがった遠隔装置１６の概略ブロック図である。最も好ましくは、少なくとも幾つかの遠隔装置は主遠隔トランシーバとして動作するように構成され、少なくとも幾つかの遠隔装置はダイバーシティ遠隔トランシーバとして動作するように構成される。以下の説明は、主またはダイバーシティトランシーバとして構成される遠隔装置に対して行われる。装置１６はクワドリプレクサ１００ を具備し、これはケーブル１７に結合され、とりわけケーブルから受信された順方向ＩＦ信号を順方向ＩＦ前置増幅段１０２ へ転送する。段１０２ の減衰はＩＦ減衰器信号ＩＦ−ＡＴＴ２により制御される。段１０２ はＩＦ信号を増幅し、増幅された信号をミキサ１０６ へ出力する。ミキサ１０６ はまた好ましくはマスター装置１４のＬＯ４２により発生される周波数と実質上同一のＬＯ周波数で局部発振器１１０ から局部発振器信号を受取る。ミキサ１０６ は回復された順方向ＲＦ信号を発生するためにＩＦ信号を上方変換し、回復された信号を順方向ＲＦ増幅段１０８ へ入力する。段１０８ の出力レベルは第１のＲＦ検出器１１２ により測定され、回復されたＲＦ出力はＲＦパワー増幅器１１４ へ転送される。増幅器１１４ はスイッチ１３１ により付勢され消勢される。増幅器１１４ の利得はＲＦ減衰器信号ＲＦ−ＡＴＴ２により制御され、増幅された信号の出力レベルは第２のＲＦ検出器１１６ により測定される。増幅されたＲＦ信号はデュプレクサ１１８ を経てアンテナ１１９ へ出力され、これは信号をトランシーバ１５へ放射する。
【００５３】
遠隔装置１６はまた移動体トランシーバ１５により送信された逆方向ＲＦ信号をアンテナ１１９ で受信する。逆方向ＲＦ信号は逆方向ＲＦ前置増幅段１２０ へ転送され、これはＲＦ減衰器信号ＲＦ−ＡＴＴ３により制御される利得を有する。増幅されたＲＦ信号はミキサ１２４ へ転送され、ミキサ１２４ はまたＬＯ１１０ からＬＯ信号を受信し、ＲＦ信号を逆方向ＩＦ信号へ下方変換する。ＩＦ信号はＩＦ増幅器１２９ で増幅され、これはスイッチ１２７ により付勢され消勢される。増幅器の利得はＩＦ減衰器信号ＩＦ−ＡＴＴ３により設定され、逆方向ＩＦ信号の出力レベルはＩＦ検出器１２８ により測定される。逆方向ＩＦ信号はクワドリプレクサ１００ を経てケーブル１７へ転送される。
【００５４】
スイッチ１３１ と局部発振器１１０ 等の遠隔装置１６のエレメントは最も好ましくは装置のバス１０１ へ結合される。バス１０１ はまた減衰設定信号ＲＦ−ＡＴＴ２、ＩＦ−ＡＴＴ２、ＲＥ−ＡＴＴ３、ＩＦ−ＡＴＴ３を伝送する。したがって遠隔装置のそれぞれのエレメントの利得、状態または周波数のような動作入力パラメータはバスを介して設定されてもよい。最も好ましくは、遠隔装置１６のエレメントの動作入力パラメータは信号によってマスター装置１４からバスへ設定される。このような信号は好ましくはケーブル１７を経てマスター装置から送信されるキーイング信号であり、この信号はモデム１０３ と中央処理装置（ＣＰＵ）１０５ によりデコードされ、デコードされた信号は技術で知られている１以上の方法によりそれぞれのパラメータを設定することができる。代わりに、装置１６のエレメントの動作入力パラメータは技術で知られている他の手段により設定される。同様に、ＩＦデコーダ１２８ により測定されるＩＦレベル等の遠隔装置１６のエレメントの出力パラメータ値は最も好ましくはバスに供給され、モデム１０３ 中の値をコード化し、コード化された値をマスター装置へ送信する等の技術で知られている方法によりマスター装置１４に対して利用可能である。代わりに、装置１６のエレメントの出力パラメータ値は技術で知られている１以上の方法によりマスター装置１４に対して利用可能にされる。コンソール１９は例えばシステムの任意のエレメントを動作し制御するためにマスター装置１４により受信される出力パラメータ値をアクセスしてもよいことが理解されるであろう。
【００５５】
再び図２を参照すると、主逆方向装置２２はここではＭＡＩＮ−ＲＥＶ　ＩＦ信号と呼ぶ逆方向ＩＦ信号を主遠隔装置として構成されている遠隔装置１６から受信する。ダイバーシティ逆方向装置２４はここではＤＩＶ−ＲＥＶ　ＩＦ信号と呼ぶ逆方向ＩＦ信号をダイバーシティ遠隔装置として構成されている遠隔装置から受信する。信号はケーブル１７とアクチブなスプリッタ／結合器２１により受信される。以下の説明は装置２２に関する。以下説明する違いは別にして、装置２２の動作は装置２４の動作とほぼ類似し、それ故装置２２と２４の接尾部Ａ、Ｂを有する同一の参照符号により示されているエレメントは構造および動作においてほぼ同一であり、同一の接頭部を有する装置２２、２４の信号はほぼ類似した効果を有する。
【００５６】
ケーブル１７は逆方向ＩＦ信号をＩＦ増幅器６６Ａ へ与え、その利得はＩＦ減衰信号ＩＦ−ＡＴＴ４−Ａにより設定されることができる。増幅されたＩＦ信号はミキサ６０Ａ へ入力され、これはまたＬＯ４２から局部発振器信号を受信する。ミキサ６０Ａ は回復された逆方向ＲＦ信号を発生するためにＩＦ信号を変換し、これはＲＦ増幅器５８Ａ で増幅される。増幅された信号のレベルはＲＦ検出器５６Ａ により測定される。増幅された信号はＲＦパワー増幅器５２Ａ でさらに増幅される。増幅器５２Ａ はスイッチ５１Ａ により付勢され、消勢され、その利得はＲＦ減衰信号ＲＦ−ＡＴＴ４−Ａにより設定される。増幅器５２Ａ の出力は好ましくはアンテナ５０Ａ を経てＢＴＳ１２へ転送され、増幅器５２Ｂ の出力は好ましくはアンテナ５０Ｂ を介してＢＴＳ１２へ転送される。最も好ましくはアンテナ５０Ｂ はアンテナ５０Ａ により送信される信号と直交して偏波された信号を送信する。代わりに、増幅器５２Ａ 、５２Ｂ の出力はケーブルおよび／またはマルチプレクサおよびアンテナ２６等のアンテナによる等の技術で知られた他の手段によりＢＴＳ１２へ転送される。
【００５７】
スイッチ５１Ａ 、５１Ｂ および検出器５６Ａ 、５６Ｂ のような主逆方向装置２２とダイバーシティ逆方向装置２４のエレメントは最も好ましくはバス３１へ結合される。バス３１はまた減衰設定信号ＩＦ−ＡＴＴ４−Ａ、ＩＦ−ＡＴＴ４−Ｂ、ＲＦ−ＡＴＴ４−Ａ、ＲＥ−ＡＴＴ４−Ｂを伝送する。装置２２、２４のエレメントの動作入力パラメータは最も好ましくは装置２０について前述したように設定される。検出器５６Ａ 、５６Ｂ により測定されるＲＦレベルのような装置２２、２４のエレメントの出力パラメータ値は最も好ましくは装置２０について前述したようにコンソール１９および／またはＣＰＵ１１に対して利用可能にされる。
【００５８】
システム１０では、信号送信に有効な２つの伝送路が存在する。順方向伝送路は順方向装置２０のエレメント、ケーブル１７と、増幅器１０２ 、ミキサ１０６ 、増幅器１０８ および１１４ のような順方向信号を送信する遠隔装置１６のエレメントを含んでいる。逆方向伝送路は、増幅器１２０ 、ミキサ１２４ 、増幅器１２９ のような逆方向信号を送信する遠隔装置１６のエレメントと、ケーブル１７、逆方向装置２２または２４のエレメントを含んでいる。
【００５９】
図４は本発明の好ましい実施形態にしたがってネットワークで発生された信号の周波数を示している概略的なグラフである。最も好ましくは、ＬＯ４２とＬＯ １１０は、順方向ＩＦ周波数が順方向および逆方向ＰＣＳ送信の帯域幅に対応して約１１０ＭＨｚ−１７０ＭＨｚの帯域８６にあり、逆方向ＩＦ周波数が約１９０ＭＨｚ−２５０ＭＨｚの帯域９０にあるように調節される。代わりに送信は帯域８６と帯域９０内では通常狭いサブ帯域である。システム１０が１以上の他の送信方式で動作するように構成されるとき、ＩＦ周波数の帯域幅とその周波数の分離はそれにしたがって調節されてもよいことが認識されよう。最も好ましくは、マスター装置１４のパイロット発振器３８は順方向ＩＦ周波数帯域８６内にある中心周波数８８を有するように設定される。
【００６０】
図５は本発明の好ましい実施形態にしたがったネットワーク１０の設置相と動作相に含まれるステップを示したフローチャートである。ここで説明するプロセスは最も好ましくはマスター装置１４と遠隔装置１６がビルディング１８に配置され共にケーブル１７により結合された後に行われる。プロセスは最も好ましくはマスター装置１４から発生される制御信号により自動的または半自動的方法で実行され、それによるシステム１０内のエレメントにおける測定結果がコンソール１９に利用可能にされる。プロセスはコンソール１９により開始されることが好ましい。
【００６１】
設置相の開始ステップでは、ネットワーク１０の順方向伝送路に含まれるアクチブな“エンド”エレメントは伝送路に対して外部の周囲のものから順方向伝送路の内部エレメントを実効的に隔離するために消勢される。マスター装置１４内のアクチブなエンドエレメントは順方向装置２０の点３７の前方のエレメントを含み、ここでパイロット発振器３８からのパイロット信号がシステムに注入される。したがって、装置２０のエンドエレメントは増幅器２８、ＩＦ増幅器３６を含んでいる。消勢は好ましくはそれぞれの減衰信号ＲＦ−ＡＴＴ１とＩＦ−ＡＴＴ１を介して可能な限り低い値まで増幅器の利得を減少し、および／または増幅器へのスイッチ２７、３９を消勢することによって実行される。全ての遠隔装置１６では、エンドエレメント増幅器１１４ はスイッチ１３１ により消勢される。エンドエレメントが一度消勢されると、順方向伝送路の残りの内部エレメントは外部の周囲のものから実質上隔離され、それによって外部信号は内部エレメントにより受信されず、内部エレメントにより発生される信号は周囲のものに入らない。
【００６２】
パイロット発振器３８が付勢され、検出器４０により測定される発振器の出力レベルは０　ｄＢｍのレベルに設定されることが好ましい。その代わりに、出力レベルは公称上設計されたサイトの出力パワーレベル等の任意の他の便利な値に設定され、検出器４０により測定されてもよい。マスター装置１４は開始プロセスがスタートしていることを各遠隔装置に示す信号を放送する。最も好ましくは、装置１４はまたサイト特徴に応じて、予測された公称上の出力パワーレベルの各遠隔装置１６に、遠隔装置が開始プロセスで発生するように調節されていることを通知する。その代わりに、そのプロセスで少なくとも幾つかの遠隔装置１６が予め定められたデフォルトパワー出力レベルを発生するように調節される。マスター装置１４は特定の装置の測定が行われる期間の時間遅延間隔を遠隔装置１６に通知する。
【００６３】
各遠隔装置１６では、ＲＦ検出器１１２ は増幅器１０８ により出力されたＲＦレベル出力を測定する。それぞれの遠隔装置１６はその後、ＩＦ減衰信号ＩＦ−ＡＴＴ２により入力ＩＦ増幅器１０２ の利得を調節する。代わりにまたは付加的に、増幅器１０８ の利得は調節される。利得は好ましくは前述したようにマスター装置１４から受信された予測された公称上の入力値に対応して、検出器１１２ により測定されるＲＦレベルが予め定められた値であるように調節される。その代わりに、利得はデフォルト値または任意の他の適切な値に調節される。最も好ましくは、利得はメモリ３５に記憶されている１以上の利得調節検索テーブルを使用して、段階的に増加するように調節される。代わりに、利得は技術で知られている１以上の他の方法を使用しても調節される。
【００６４】
パイロット発振器レベル、測定された検出器１１２ のレベル、順方向伝送路の中間エレメントの利得および損失、例えば増幅器１０２ の利得およびスプリッタ／結合器２１による損失を使用して、マスター装置１４と特定の遠隔装置との間の順方向ケーブル損失が評価される。最も好ましくは、評価はメモリ３５に記憶されている１以上の評価検索テーブルを使用して実行される。代わりに、評価は技術で知られている任意の他の方法でも行われる。等しいケーブルの長さはケーブル１７の既知の特性にしたがって、技術で知られている方法によりケーブル損失から計算される。逆方向ケーブル損失は、ケーブルの特性、決定された等価のケーブル長、スプリッタ／結合器２１による異なる損失等の順方向伝送路と比較した逆方向ＩＦ伝送路との任意の差から評価される。順方向および逆方向ケーブルの損失は図４を参照して前述したように、とりわけ順方向および逆方向ＩＦ伝送の周波数に依存していることが認識されよう。
【００６５】
決定された逆方向ケーブル損失から、ＩＦ増幅器１２９ および／または増幅器１２０ の利得は損失を補償するように好ましくは損失約５ｄＢを超えるように設定される。その代わりに、増幅器１２９ および増幅器１２０ の利得はケーブル１７の逆方向損失を補償するように別の便利な値に設定される。
【００６６】
前述の較正プロセスは次にコマンドによりマスター装置１４から各遠隔装置１６へ与えられる。各遠隔装置の較正が終了されるとき、好ましくは特定の遠隔装置がポールされることによりチェックされる。測定は特定の遠隔装置について行われ、測定プロセスで問題が検出されるならば、またはポーリング中に例えば遠隔装置に接続されているコードの故障により問題が生じるならば、最も好ましくはコンソール１９のオペレータへアラームが送信される。
【００６７】
全ての遠隔装置が較正されるとき、マスター装置１４はパイロット発振器３８を消勢する。増幅器２８、３６の利得は遠隔装置１６の位置が決定される特別なサイトの設計データと、ネットワーク１０のリンク予算にしたがって調節される。したがって順方向伝送路の利得全体が設定される。
【００６８】
順方向伝送路の利得が一度設定されると、既に設定されていないエレメントの逆方向伝送路の利得が調節される。利得は最も好ましくは逆方向伝送路の利得が実質上順方向伝送路の利得に等しくなるように設定される。逆方向伝送路の利得は主逆方向装置２２の増幅器５２Ａ 、６６Ａ と、主ダイバーシティ装置２４の増幅器５２Ｂ 、６６Ｂ の利得を設定することにより調節される。
【００６９】
最終的なステップでは、各遠隔装置１６のパワー増幅器１１４ がそれぞれのスイッチ１３１ を使用して付勢され、ネットワーク１０は動作相において、移動体１５等の近辺の移動体トランシーバとの受信および送信を開始する。動作相の期間中に、各増幅器１１４ からのパワー出力レベルはそれぞれのＲＦ検出器１１６ により読取られ、検出器１１２ も読取られる。値の差は監視の補助として使用するためにマスター装置１４へ送信されてもよい。予測されない差により示されるような故障および／または増幅器１１４ の利得の大きな変化の場合、マスター装置１４は指示を受信し、アラームをコンソール１９へ送信する。
【００７０】
ネットワーク１０の動作中、遠隔装置１６の設置を参照して前述したステップは特定の遠隔装置１６に必要なように実行されてもよいことが認識されよう。ステップは例えば特定の遠隔装置のパラメータの変化および／または診断のために実行されてもよい。例えば検出器１１６ が予測されるよりも低いＲＦレベルを検出したならば、ケーブルの損失を含む特定の遠隔装置の順方向伝送路のパラメータ値は再度評価されてもよい。
【００７１】
前述の好ましい実施形態は例示として示されたもので、本発明は特別に示し前述したものに限定されないことが理解されよう。本発明の技術的範囲は前述の種々の特徴の組合わせおよび補助的な組合わせの両者と、前述の説明を読んだときに当業者に行われ従来技術では説明されていない変形および変更を含んでいる。
【図面の簡単な説明】
【図１】
本発明の好ましい実施形態にしたがったセルラ通信ネットワークを示している概略ブロック図。
【図２】
本発明の好ましい実施形態にしたがった図１のネットワークのマスター装置の概略ブロック図。
【図３】
本発明の好ましい実施形態にしたがった図１のネットワークの遠隔装置の概略ブロック図。
【図４】
本発明の好ましい実施形態にしたがった図１のネットワーク中で発生された信号の周波数を示している概略グラフ。
【図５】
本発明の好ましい実施形態にしたがった図１のネットワークの設置相と動作相に含まれるステップを示したフローチャート。
【図１】
2004515108.tif 000003
【図２】
2004515108.tif 000004
【図３】
2004515108.tif 000005
【図４】
2004515108.tif 000006
【図５】
2004515108.tif 000007
【国際公開パンフレット】
2004515108.tif 000008
2004515108.tif 000009
2004515108.tif 000010
2004515108.tif 000011
2004515108.tif 000012
2004515108.tif 000013
2004515108.tif 000014
2004515108.tif 000015
2004515108.tif 000016
2004515108.tif 000017
2004515108.tif 000018
2004515108.tif 000019
2004515108.tif 000020
2004515108.tif 000021
2004515108.tif 000022
2004515108.tif 000023
2004515108.tif 000024
2004515108.tif 000025
2004515108.tif 000026
2004515108.tif 000027
2004515108.tif 000028
2004515108.tif 000029
2004515108.tif 000030
2004515108.tif 000031
2004515108.tif 000032
2004515108.tif 000033
2004515108.tif 000034
2004515108.tif 000035
2004515108.tif 000036
2004515108.tif 000037
2004515108.tif 000038
2004515108.tif 000039
2004515108.tif 000040
【国際公開パンフレット（コレクトバージョン）】
2004515108.tif 000041
2004515108.tif 000042
【国際調査報告】
2004515108.tif 000043
2004515108.tif 000044
2004515108.tif 000045